(57)【要約】【課題】本発明は、光ディスク装置及び光ディスク装置の制御方法に関し、例えばカメラ一体型ビデオレコーダに適用して、光ディスクドライブの構成を利用して記録再生系を構成する場合に、光ディスクの排出に関連する電力消費、時間遅れを有効に回避することができるようにする。【解決手段】本発明は、排出を指示する操作子の操作を光ディスク駆動手段を介してコンピュータ等の外部機器に通知する。【選択図】　　　　図１
2004013243.tif 000002
【特許請求の範囲】
【請求項１】
入力されたコマンドに応じて、光ディスクを駆動して所望のデータを記録再生し、また前記光ディスクを取り出し可能とする光ディスク駆動手段と、
前記光ディスクで記録再生するデータを前記光ディスク駆動手段との間で入出力し、前記データを処理するデータ処理手段と、
前記光ディスクで記録再生するデータを前記光ディスク駆動手段との間で入出力し、コンピュータと接続可能なデータ入出力手段とを備え、
前記光ディスク駆動手段が、少なくとも前記データ入出力手段に接続された外部機器からのコマンドにより前記光ディスクを記録再生している場合、
前記データ処理手段は、
前記光ディスクの排出を指示する操作子の操作により、前記光ディスク駆動手段、前記データ入出力手段を介して前記外部機器に前記操作子の操作を通知し、
前記光ディスク駆動手段は、
前記データ入出力手段を介して入力される光ディスク排出指示のコマンドにより、前記光ディスクを取り出し可能に設定して前記排出の操作子の操作に対応する状態を形成し、
少なくとも前記データ入出力手段に前記外部機器が接続されていない場合、
前記データ処理手段は、
前記光ディスクの排出を指示する操作子の操作により、前記光ディスク駆動手段に前記光ディスク排出指示のコマンドを出力し、
前記光ディスク駆動手段は、
前記データ処理手段から入力される前記光ディスク排出指示のコマンドにより、前記光ディスクを取り出し可能に設定して前記排出の操作子の操作に対応する状態を形成する
ことを特徴とする光ディスク装置。
【請求項２】
前記光ディスク駆動手段における前記コマンド、記録再生に供するデータの入出力が、コンピュータに関連する機器における標準のインターフェースによるものである
ことを特徴とする請求項１に記載の光ディスク装置。
【請求項３】
前記データ処理手段は、
前記光ディスクの排出を指示する操作子の操作により、前記光ディスク駆動手段に前記操作子の操作を通知し、前記外部機器からの前記光ディスク駆動手段への状態問い合わせのコマンドに対する前記光ディスク駆動手段の応答により、
前記光ディスク駆動手段、前記データ入出力手段を介して前記外部機器に前記操作子の操作を通知する
ことを特徴とする請求項１に記載の光ディスク装置。
【請求項４】
前記データ処理手段は、
所定の時点で、一部動作を停止して電力消費を低減するパワーセーブモードに動作を切り換え、
前記操作子の操作により、前記パワーセーブモードから動作を立ち上げる
ことを特徴とする請求項１に記載の光ディスク装置。
【請求項５】
前記光ディスク駆動手段は、
所定の時点で、一部動作を停止して電力消費を低減するパワーセーブモードに動作を切り換え、
前記データ処理手段からの指示により、前記パワーセーブモードから動作を立ち上げる
ことを特徴とする請求項１に記載の光ディスク装置。
【請求項６】
前記データ処理手段は、
所望の被写体の撮像結果によるビデオデータを出力する撮像手段と、
前記ビデオデータをデータ圧縮して前記光ディスク駆動手段に出力するデータ圧縮手段と、
前記光ディスク駆動手段から出力されるデータをデータ伸長してビデオデータを出力するデータ伸長手段と、
前記データ伸長手段、前記撮像手段より得られるビデオデータによる映像を表示する表示手段とを備え、
前記データ圧縮手段の出力データを一定の時間以上、前記光ディスク駆動手段により前記光ディスクに記録しない場合、又は一定時間以上、前記光ディスク駆動手段により前記光ディスクに記録したデータを再生しない場合、
前記光ディスク駆動手段に、一部動作を停止して電力消費を低減するパワーセーブモードへの動作の切り換えを指示し、
前記操作子の操作によるコマンドの送出に先立って、前記光ディスク駆動手段に、前記パワーセーブモードからの動作の立ち上げを指示する
ことを特徴とする請求項１に記載の光ディスク装置。
【請求項７】
入力されるコマンドに応じて、光ディスクを駆動して所望のデータを記録再生し、また前記光ディスクを取り出し可能とする光ディスク駆動手段と、
前記光ディスクで記録再生するデータを前記光ディスク駆動手段との間で入出力し、前記データを処理するデータ処理手段と、
前記光ディスクで記録再生するデータを前記光ディスク駆動手段との間で入出力するコンピュータと接続可能なデータ入出力手段とを備えた光ディスク装置の制御方法において、
前記データ処理手段により、前記光ディスクの排出を指示する操作子の操作を検出し、
前記光ディスク駆動手段が、少なくとも前記データ入出力手段に接続された外部機器からのコマンドにより前記光ディスクを記録再生している場合、
前記光ディスク駆動手段、前記データ入出力手段を介して前記外部機器に前記操作子の操作を通知し、
前記データ入出力手段を介して前記光ディスク駆動手段に入力される光ディスク排出指示のコマンドにより、前記光ディスクを取り出し可能に前記光ディスク駆動手段を設定し、
少なくとも前記データ入出力手段に前記外部機器が接続されていない場合、
前記光ディスク駆動手段に前記光ディスク排出指示のコマンドを出力し、前記光ディスクを取り出し可能に前記光ディスク駆動手段を設定する
ことを特徴とする光ディスク装置の制御方法。
【発明の詳細な説明】
【０００１】
【発明の属する技術分野】
本発明は、光ディスク装置及び光ディスク装置の制御方法に関し、例えばカメラ一体型ビデオレコーダに適用することができる。本発明は、排出を指示する操作子の操作を光ディスク駆動手段を介してコンピュータ等の外部機器に通知することにより、光ディスクドライブの構成を利用して記録再生系を構成する場合等に、光ディスクの排出に関連する電力消費、時間遅れを有効に回避することができるようにする。
【０００２】
【従来の技術】
従来、カメラ一体型ビデオテープレコーダにおいては、所望の被写体を撮像して得られるビデオデータを磁気テープに記録するようになされている。これに対して近年、コンピュータの記憶装置においては、光ディスクに種々のデータを記録する光ディスクドライブが広く使用されるようになされている。
【０００３】
図１０は、この光ディスクドライブを示すブロック図である。この光ディスクドライブは、コンピュータ５と一体に構成されて、又はコンピュータ５と別体に構成されて、コンピュータ５の制御によりコンピュータ５の出力データを光ディスク３に記録し、また光ディスク３に記録されたデータを再生してコンピュータ５に出力する。
【０００４】
この光ディスクドライブ１において、インターフェース（Ｉ／Ｆ）４は、例えばＩＥＥＥ　（Ｔｈｅ　Ｉｎｓｔｉｔｕｔｅ　ｏｆ　Ｅｌｅｃｔｒｉｃａｌ　ａｎｄ　Ｅｌｅｃｔｏｒｏｎｉｃｓ　Ｅｎｇｉｎｅｅｒｓ，Ｉｎｃ．）１３９４、ＵＳＢ（Ｕｎｉｖｅｒｓａｌ　Ｓｅｒｉａｌ　Ｂｕｓ）等によりコンピュータ（ＰＣ）５等との間で制御コマンド、ステータス、記録再生に供するデータを入出力し、またこれら制御コマンド、ステータス等をドライブブロック２との間で入出力する。
【０００５】
ドライブブロック２は、光ディスク３の駆動系、記録再生系等により構成され、入力コマンドに応じて入力データを光ディスク３に記録し、また光ディスク３に記録されたデータを再生して出力する。
【０００６】
ここでこのようにして構成される光ディスクドライブ１は、ＩＥＥＥ１３９４によるインターフェース等とのデータ交換を問題無く実行するために、ＡＴＡＰＩ（ＡＴ　Ａｔｔａｃｈｍｅｎｔ　Ｐａｃｋｅｔ　Ｉｎｔｅｒｆａｃｅ）等による、コンピュータに関連する機器における標準のインターフェースがドライブブロック２に適用される。またこのＡＴＡＰＩによるインターフェースにおいては、光ディスクドライブ１を制御できるように各種のコマンドが定義されるようになされ、光ディスク３の排出に関しては、ＧＥＴ　ＥＶＥＮＴ／ＳＴＡＴＵＳ　ＮＯＩＦＩＣＡＴＩＯＮ、ＳＴＡＲＴ／ＳＴＯＰ　ＵＮＩＴコマンドが使用されるようになされている。
【０００７】
ここでＧＥＴ　ＥＶＥＮＴ／ＳＴＡＴＵＳ　ＮＯＩＦＩＣＡＴＩＯＮコマンドは、光ディスクドライブ１の状態の問い合わせに使用されるコマンドである。光ディスク３の排出に関して、ＧＥＴ　ＥＶＥＮＴ／ＳＴＡＴＵＳ　ＮＯＩＦＩＣＡＴＩＯＮコマンドは、光ディスクドライブ１に設けられたイジェクトスイッチ６が操作されたか否かの問い合わせに使用され、戻り値によりイジェクトスイッチ６の操作等をコンピュータ５側で検出できるようになされている。またＳＴＡＲＴ／ＳＴＯＰ　ＵＮＩＴコマンドは、光ディスク３を取り出し可能とする指示であり、光ディスクドライブ１においては、このコマンドにより例えば光ディスクの載置台であるトレイを押し出して光ディスク３を取り出すことができるようになされている。
【０００８】
これによりコンピュータ５に接続された場合、光ディスクドライブ１においては、図１１に示すように、コンピュータ５で実行するアプリケーションプログラムに応じて、コンピュータ５から一定周期でＧＥＴ　ＥＶＥＮＴ／ＳＴＡＴＵＳ　ＮＯＩＦＩＣＡＴＩＯＮコマンドＣＤ１がドライブブロック２に供給され、ドライブブロック２においては、このコマンドＣＤ１に対する戻り値により現在の状態をコンピュータ５に通知するようになされている。またドライブブロック２においては、イジェクトスイッチ６が操作されると、このイジェクトスイッチ６の操作に応動して戻り値の設定を変更し、これによりイジェクトスイッチ６の操作をコンピュータ５に通知するようになされている。またコンピュータ５においては、この通知によりＳＴＡＲＴ／ＳＴＯＰ　ＵＮＩＴコマンドＣＤ２を送出して光ディスク３の排出を指示するようになされている。
【０００９】
これによりこのような光ディスクドライブ１においては、コンピュータ５に接続した場合、コンピュータ５側でドライブブロック２の状態を監視し、コンピュータ５の制御により光ディスク３の排出等の処理を実行するようになれている。これによりコンピュータ５では、例えば光ディスク３へデータを記録している際に、イジェクトスイッチ６が操作された場合にあっては、光ディスク３へのデータの記録の完了を待って、光ディスクドライブ１に光ディスク３の排出を指示し、エラー等を回避するようになされている。
【００１０】
【発明が解決しようとする課題】
ところでこのような光ディスクドライブ１を磁気テープの記録再生系の代わりに利用して、カメラ一体型ビデオレコーダを構成することが考えられる。この場合に、光ディスクドライブと撮像系等との間のインターフェースについても、ドライブブロック２に広く適用されているインターフェースを適用することにより、全体構成を簡略化することができると考えられる。
【００１１】
しかしながら光ディスクドライブ１においては、上述したようにコンピュータ５の監視下、コンピュータ５の制御により動作するように設定されていることにより、このように光ディスクドライブ１を使用してカメラ一体型ビデオレコーダを構成した場合、単体で使用する場合に、光ディスクの排出に係るイジェクトの処理に関して種々の問題が発生する。
【００１２】
すなわち図１２は、このようにして構成されると考えられるカメラ一体型ビデオレコーダを示すブロック図である。カメラ一体型ビデオレコーダ８では、撮像機構、モニタ機構等によりカメラユニット９を構成し、このカメラユニット９の動作をユーザーによる操作に応動してシステムブロック９Ａで制御すると共に、このカメラユニット９で得られるビデオデータ、オーディオデータを光ディスクドライブ１で記録再生する。かくするにつきシステムブロック９Ａは、カメラユニット９の動作を制御するコントローラである。
【００１３】
この場合、光ディスクドライブ１がコンピュータによる監視下、コンピュータにより制御されて動作するように構成されていることにより、システムブロック９Ａにおいては、このカメラ一体型ビデオレコーダ８単体での動作においては、コンピュータに代わって、光ディスクドライブ１を監視し、動作を制御することが必要になる。
【００１４】
これにより図１１との対比により図１３に示すように、一定の時間間隔でＧＥＴ　ＥＶＥＮＴ／ＳＴＡＴＵＳ　ＮＯＩＦＩＣＡＴＩＯＮコマンドＣＤ１をドライブブロック２に供給して光ディスクドライブ１の状態を監視し、イジェクトスイッチ６の操作が戻り値により検出されると、光ディスク３へのデータの記録の完了を待って、ＳＴＡＲＴ／ＳＴＯＰ　ＵＮＩＴコマンドＣＤ２を送出することが必要になる。
【００１５】
これによりこのようにカメラ一体型ビデオレコーダを構成すると、常に、システムブロック９Ａを動作状態に保持しておかなければならず、いわゆるシステムブロック９Ａへの電源供給を一時的に停止するパワーセーブモードを実現することが困難になり、これにより電力消費が著しく増大する問題がある。
【００１６】
また一定の時間間隔でＧＥＴ　ＥＶＥＮＴ／ＳＴＡＴＵＳ　ＮＯＩＦＩＣＡＴＩＯＮコマンドＣＤ１をドライブブロック２に供給してその戻り値によりイジェクトスイッチ６の操作を検出することにより、イジェクトスイッチ６を操作して実際に光ディスク３の排出が開始されるまでの間、時間遅れの発生を避け得ない問題もある。
【００１７】
この問題を解決する１つの方法として、専用インターフェースにより光ディスクドライブとを接続して外部機器によっては、光ディスクの再生だけを制御可能に設定する方法も考えられる。この場合、コンピュータに接続した場合には、光ディスクにデータを記録しないことにより、単に、光ディスクドライブ側にイジェクトスイッチを配置して、このイジェクトスイッチの操作により撮像装置側で光ディスクを排出するように制御することができる。しかしながらこの場合、コンピュータのデータについては、光ディスクに記録することが困難になることにより、使い勝手の点で実用上未だ不十分となる。
【００１８】
これに対してカメラ一体型ビデオレコーダ側の全ての操作子について、コンピュータに接続した場合に、操作を受け付けないようにする方法も考えられる。しかしながら実際上、カメラ一体型ビデオレコーダ側に設けられたイジェクトスイッチの操作により、光ディスクを取り出すことができるようにすれば、使い勝手を向上することができる。
【００１９】
本発明は以上の点を考慮してなされたもので、光ディスクドライブの構成を利用して記録再生系を構成する場合に、光ディスクの排出に関連する電力消費、時間遅れを有効に回避することができる光ディスク装置及び光ディスク装置の制御方法を提案しようとするものである。
【００２０】
【課題を解決するための手段】
かかる課題を解決するため請求項１の発明においては、光ディスク装置に適用して、光ディスク駆動手段が、少なくともデータ入出力手段に接続された外部機器からのコマンドにより光ディスクを記録再生している場合、データ処理手段は、光ディスクの排出を指示する操作子の操作により、光ディスク駆動手段、インターフェースを介して外部機器に操作子の操作を通知し、光ディスク駆動手段は、インターフェースを介して入力される光ディスク排出指示のコマンドにより、光ディスクを取り出し可能に設定して排出の操作子の操作に対応する状態を形成し、少なくともインターフェースに外部機器が接続されていない場合、データ処理手段は、光ディスクの排出を指示する操作子の操作により、光ディスク駆動手段に光ディスク排出指示のコマンドを出力し、光ディスク駆動手段は、データ処理手段から入力される光ディスク排出指示のコマンドにより、光ディスクを取り出し可能に設定して排出の操作子の操作に対応する状態を形成する。
【００２１】
また請求項７の発明においては、光ディスク装置の制御方法に適用して、データ処理手段により、光ディスクの排出を指示する操作子の操作を検出し、光ディスク駆動手段が、少なくともデータ入出力手段に接続された外部機器からのコマンドにより光ディスクを記録再生している場合、光ディスク駆動手段、インターフェースを介して外部機器に操作子の操作を通知し、インターフェースを介して光ディスク駆動手段に入力される光ディスク排出指示のコマンドにより、光ディスクを取り出し可能に光ディスク駆動手段を設定し、少なくともインターフェースに外部機器が接続されていない場合、光ディスク駆動手段に光ディスク排出指示のコマンドを出力し、光ディスクを取り出し可能に光ディスク駆動手段を設定する。
【００２２】
請求項１の構成によれば、外部機器からのコマンドにより光ディスクを記録再生している場合、光ディスクの排出を指示する操作子の操作が、データ処理手段で検出されて光ディスク駆動手段、インターフェースを介して外部機器に通知され、この通知に対応する外部機器からの光ディスク排出指示のコマンドにより、光ディスク駆動手段が光ディスクを取り出し可能に設定される。これにより従来の光ディスクドライブと同様の制御により、光ディスクの排出に係る制御を外部機器側で実行することができる。また外部機器が接続されていない場合、光ディスクの排出を指示する操作子の操作がデータ処理手段で検出されると、データ処理手段から光ディスク駆動手段に光ディスク排出指示のコマンドが出力されて光ディスク駆動手段が光ディスクを取り出し可能に設定される。これにより単独で使用している場合に、データ処理手段側で光ディスク駆動手段側を監視していなくても必要に応じて光ディスクを取り出すことができ、これにより適宜、データ処理手段側をパワーセーブモードに切り換えて、電力消費を低減することができる。またこのようにデータ処理手段で操作子の操作を検出してデータ処理手段からのコマンドにより光ディスクを取り出し可能とすることにより、時間遅れを有効に回避して光ディスクを取り出し可能とすることができる。
【００２３】
これにより請求項７の構成によれば、ディスクドライブの構成を利用して記録再生系を構成する場合に、光ディスクの排出に関連する電力消費、時間遅れを有効に回避することができる光ディスク装置の制御方法を提供することができる。
【００２４】
【発明の実施の形態】
以下、適宜図面を参照しながら本発明の実施の形態を詳述する。
【００２５】
（１）実施の形態の構成
図２は、本発明の実施の形態に係る光ディスク装置によるカメラ一体型ビデオレコーダを示すブロック図である。この記録装置は、撮像手段を有する携帯型の記録装置であり、従来のカメラ一体型ビデオテープレコーダにおける磁気テープによる記録再生系に代えて、光ディスク３による記録再生系が設けられるようになされている。
【００２６】
すなわちこのカメラ一体型ビデオレコーダ１１において、カメラ部１２は、レンズを介して所望の被写体を撮像し、撮像結果によるビデオデータを出力する。ビデオエンコーダ１３は、このカメラ部１２より得られるビデオデータを例えばＭＰＥＧ（Ｍｏｖｉｎｇ　Ｐｉｃｔｕｒｅ　Ｅｘｐｅｒｔｓ　Ｇｒｏｕｐ）のフォーマットによりデータ圧縮して出力する。マイク部１４は、マイクにより音声信号を取得して増幅し、ディジタル信号により出力する。オーディオエンコーダ１５は、このディジタル信号による音声信号をデータ圧縮して出力する。
【００２７】
システムブロック１６は、このカメラ一体型ビデオレコーダ１１の動作を制御するコントローラであり、またビデオデータ及びオーディオデータを処理するデータ処理回路を構成する。これによりシステムブロック１６は、操作子の操作に応動してドライブブロック１７を含む各部の動作を制御し、撮像結果の記録時においては、ビデオエンコーダ１３及びオーディオエンコーダ１５より出力されるビデオデータ及びオーディオデータを時分割多重化処理してストリーミングデータを生成し、このストリーミングデータをドライブブロック１７で光ディスク３に記録する。またこのときモニタ用に、カメラ部１２及びマイク部１４より出力されるビデオデータ及びオーディオデータを表示部１９及び音声処理部２０、ライン出力に直接出力する。
【００２８】
またシステムブロック１６は、ユーザーによる操作子の操作に応じて光ディスク３に記録したデータの再生を指示し、記録時とは逆に、ドライブブロック１７より得られる再生データをオーディオデータ及びビデオデータに分離してビデオデコーダ２１及びオーディオデコーダ２２に出力する。またシステムブロック１６は、単に撮像結果等をモニタする場合、カメラ部１２から出力されるビデオデータ、マイク部１４から出力されるオーディオデータをそれぞれ表示部１９及び音声処理部２０、ライン出力に出力する。
【００２９】
ビデオデコーダ２１は、再生時、システムブロック１６から出力されるビデオデータをデータ伸長して表示部１９、ライン出力に出力する。オーディオデコーダ２２は、再生時、システムブロック１６から出力されるオーディオデータをデータ伸長して音声処理部２０、ライン出力に出力する。
【００３０】
表示部１９は、撮像結果をモニタする場合、システムブロック１６から出力されるビデオデータにより液晶表示パネルを駆動し、これにより撮像結果のモニタ画像を表示する。これに対して再生時、ビデオデコーダ２１から出力されるビデオデータにより液晶表示パネルを駆動し、これにより再生結果のモニタ画像を表示する。音声処理部２０は、撮像結果をモニタする場合、システムブロック１６から出力されるオーディオデータによりスピーカ等を駆動し、これによりモニタ用の音声を出力する。これに対して再生時、オーディオデコーダ２２から出力されるオーディオデータによりスピーカ等を駆動し、これにより再生結果のモニタ用音声を出力する。
【００３１】
ドライブブロック１７は、光ディスク３の駆動機構、光ディスク３の記録再生系等により構成され、これらの構成、インターフェース（Ｉ／Ｆ）２４と共に、このカメラ一体型ビデオレコーダ１１に組み込まれて、光ディスクドライブを構成するようになされている。すなわちドライブブロック１７は、システムブロック１６からのコマンドにより動作を切り換え、システムブロック１６の出力データを光ディスク３に記録する。また同様にして光ディスク３に記録したデータを再生し、その結果得られる再生データをシステムブロック１６に出力する。
【００３２】
これにより図３に示すように、このカメラ一体型ビデオレコーダ１１においては、カメラ部１２及びマイク部１４から得られるビデオデータ及びオーディオデータをそれぞれビデオエンコーダ１３及びオーディオエンコーダ１５でデータ圧縮処理した後、システムブロック１６で時分割多重化処理し、その結果得られるストリーミングデータを光ディスク３に記録するようになされている。またこの処理と同時並列的に、システムブロック１６を介して、カメラ部１２及びマイク部１４から得られるビデオデータ及びオーディオデータを表示部１９及び音声処理部２０に入力し、またライン出力により出力して撮像結果等をモニタすることができるようになされている。
【００３３】
また再生時においては、図４に示すように、光ディスク３の再生データをドライブブロック１７よりシステムブロック１６に入力し、ここでビデオデータ及びオーディオデータに分離してそれぞれビデオデコーダ２１及びオーディオデコーダ２２でデータ伸長し、表示部１９及び音声処理部２０、外部機器で確認できるようになされている。
【００３４】
またドライブブロック１７は、インターフェース２４を介して入力されるコンピュータからのコマンドにより、同様に、動作を切り換え、コンピュータの出力データを光ディスク３に記録する。また同様にして光ディスク３に記録したデータを再生し、その結果得られる再生データをコンピュータに出力する。
【００３５】
インターフェース（Ｉ／Ｆ）２４は、例えばＩＥＥＥ１３９４、ＵＳＢ等のインターフェースであり、ドライブブロック１７の出力データをコンピュータ等の外部機器に出力し、またこれとは逆にコンピュータ等の外部機器の出力データをドライブブロック１７に出力する。
【００３６】
これによりこのカメラ一体型ビデオレコーダ１１では、図５に示すように、インターフェース２４を介して、コンピュータよりドライブブロック１７に各種コマンドを出力してドライブブロック１７の動作を制御し、コンピュータから出力される種々のデータを光ディスク３に記録し、また光ディスク３に記録したデータをコンピュータで取得できるようになされている。なおこのようにコンピュータに接続されている場合、表示部１９においては、システムブロック１６の制御によりコンピュータに接続されていることを示すマーク等を表示するようになされている。
【００３７】
この実施の形態において、このドライブブロック１７により構成される光ディスクドライブは（図２）、ディスク蓋２６を開いてトレイを露出させ、このトレイに光ディスク３を配置してディスク蓋２６を閉じることにより、光ディスク３を装填できるようになされている。またこれとは逆に、ディスク蓋２６を開いてトレイを露出させ、このトレイより光ディスク３を取り出すことにより、光ディスク３を排出できるようになされている。
【００３８】
ドライブブロック１７は、コンピュータに関連する機器における標準のインターフェースであるＡＴＡＰＩによりシステムブロック１６、インターフェース２４と接続され、これによりＧＥＴ　ＥＶＥＮＴ／ＳＴＡＴＵＳ　ＮＯＩＦＩＣＡＴＩＯＮ、ＳＴＡＲＴ／ＳＴＯＰ　ＵＮＩＴコマンド等により動作を切り換えるようになされている。ドライブブロック１７は、これらのコマンドのうちのＳＴＡＲＴ／ＳＴＯＰ　ＵＮＩＴコマンドが入力されると、ディスク蓋２６が開かないようにロックするロック爪を解除するようになされ、これによりこのカメラ一体型ビデオレコーダ１１では、コンピュータ又はシステムブロック１６からＳＴＡＲＴ／ＳＴＯＰ　ＵＮＩＴコマンドが入力されると、光ディスク３を取り出すことができるようになされ、さらには光ディスクを装填できるようになされている。
【００３９】
ドライブブロック１７は、このようなコンピュータ等の接続、取り外しをインターフェース２４を介して検出し、コンピュータ等が接続され、またこの接続が取り外されると、システムブロック１６に通知するようになされている。またシステムブロック１６からの指示により、パワーセーブモードに動作モードを切り換え、消費電力を低減するようになされ、また同様のシステムブロック１６からの指示によりパワーセーブモードから動作を立ち上げるようになされている。
【００４０】
さらにドライブブロック１７は、図１２について上述したイジェクトスイッチ６の操作を検出する信号線が、システムブロック１６に接続され、これによりシステムブロック１６の制御によりこの信号線の信号レベルを立ち下げて、コンピュータからのＧＥＴ　ＥＶＥＮＴ／ＳＴＡＴＵＳ　ＮＯＩＦＩＣＡＴＩＯＮコマンドに対して、イジェクトスイッチが操作されたことを示す戻り値を返すようになされている。
【００４１】
このようなドライブブロック１７側の構成に対応してシステムブロック１６は、ドライブブロック１７からの通知により、コンピュータ等の外部機器のインターフェース２４への接続を検出する。またこの検出結果に基づいて、各部の動作を制御する。
【００４２】
すなわちシステムブロック１６は、コンピュータ等の外部機器がインターフェース２４に接続されていない場合、すなわちこのカメラ一体型ビデオレコーダ１１が単体で動作されている場合、ユーザーによる操作子の操作に応動して、全体の動作を制御し、これにより上述したように、カメラ部１２、マイク部１４から得られるビデオデータ、オーディオデータを表示部１９、音声処理部２０でモニタしながら光ディスク３に記録し、また光ディスク３よりビデオデータ、オーディオデータを再生して表示部１９、音声処理部２０より出力する。
【００４３】
これらの処理において、一定時間以上、光ディスク３にビデオデータ、オーディオデータを記録しない場合、又は一定時間以上、光ディスクに記録したデータを再生しない場合、パワーセーブモードへの動作の切り換えをドライブブロック１７に指示する。ここでこのように一定時間以上、光ディスク３にビデオデータ、オーディオデータを記録しない場合とは、単に撮像結果を表示部１９でモニタするようにユーザーが指示した場合、トリガスイッチの操作により記録を開始、停止する動作モードに設定されて、一定時間以上トリガスイッチの操作による記録開始の指示が得られない場合である。これに対して一定時間以上、光ディスクに記録したデータを再生しない場合は、ユーザーが撮像結果を表示部１９でモニタする動作モードを指示した状態で、一定時間以上、ユーザーが再生の開始を指示しない場合である。
【００４４】
システムブロック１６は、これらドライブブロック１７をパワーセーブモードに設定する場合において、自らの動作が不要となる場合、すなわちトリガスイッチにより記録の開始が一定時間以上指示されない場合、一定時間以上、ユーザーが再生の開始を指示しない場合、ドライブブロック１７をパワーセーブモードに設定した後、自らも動作モードをパワーセーブモードに切り換える。
【００４５】
これに対してこのように動作モードをパワーセーブモードに切り換えた状態で、ユーザーによる操作子の操作が検出されると、動作モードを通常の動作モードに立ち上げて対応する処理を実行する。またこのようにしてパワーセーブモードから通常の動作モードに動作を立ち上げて、ドライブブロック１７による処理が必要な場合、さらにはドライブブロック１７だけをパワーセーブモードに設定した状態で、ドライブブロック１７による処理が必要な場合には、パワーセーブモードからの動作の立ち上げをドライブブロック１７に指示する。
【００４６】
カメラ一体型ビデオレコーダ１１では、これらシステムブロック１６によるパワーセーブモードの設定により、単体で使用している際の電力消費を少なくすることができるようになされている。
【００４７】
これに対してインターフェース２４に外部機器が接続されている場合、システムブロック１６は、後述するイジェクトスイッチ３１以外の操作子については、操作を受け付けないようにし、また表示部１９を介して外部機器の接続、外部機器による動作をユーザーに通知する。これによりこのカメラ一体型ビデオレコーダ１１では、例えばコンピュータの出力データを光ディスク３に記録している際に、誤ってカメラ一体型ビデオレコーダ１１側の操作子を操作して記録の作業を中止する等の事故を有効に回避するようになされている。
【００４８】
このようにして全体の動作を制御するシステムブロック１６は一定の時間間隔で、図１に示す処理手順を実行することにより、イジェクトスイッチ３１が操作されると、外部機器が接続されている場合には、ドライブブロック１７を介してイジェクトスイッチ３１の操作を外部機器に通知し、また外部機器が接続されていない場合には、光ディスク３への記録の完了を待ってロック爪の解除をドライブブロック１７に指示する。
【００４９】
ここでシステムブロック１６は、イジェクトスイッチの操作を検出するドライブブロック１７の信号線の信号レベルを、図１１について上述したイジェクトスイッチ６が操作された場合と同様に立ち下げることにより、イジェクトスイッチ３１の操作をドライブブロック１７に通知する。これによりシステムブロック１６は、外部機器からのＧＥＴ　ＥＶＥＮＴ／ＳＴＡＴＵＳ　ＮＯＩＦＩＣＡＴＩＯＮコマンドによるドライブブロック１７の状態問い合わせに対して、このドライブブロック１７が対応する戻り値を返すことにより、ドライブブロック１７を介して外部機器へイジェクトスイッチ３１の操作を通知する。
【００５０】
またシステムブロック１６は、これら排出に係る一連の処理において、パワーセーブモードに設定されている場合には、通常の動作モードに立ち上がって一連の処理を実行する。またドライブブロック１７をパワーセーブモードに設定している場合には、ドライブブロック１７を通常の動作モードに立ち上げて、イジェクトスイッチの操作を通知し、また光ディスク３の排出を指示する。
【００５１】
すなわちシステムブロック１６は、ステップＳＰ１からステップＳＰ２に移り、ここでイジェクトスイッチ３１が操作されたか否か判断する。ここで否定結果が得られると、システムブロック１６は、ステップＳＰ３に移り、イジェクトスイッチ３１の操作を通知する信号線の信号レベル（図６においては、ＥＪＥＣＴ　Ｒｅｑｕｅｓｔにより示す）をＨレベルの状態に維持し、ステップＳＰ４に移ってこの処理手順を終了する。
【００５２】
これに対してイジェクトスイッチ３１が操作された場合には、ステップＳＰ２で肯定結果が得られることにより、ステップＳＰ５に移る。ここでシステムブロック１６は、システムブロック１６、ドライブブロック１７がパワーセーブモードに設定されている場合、ステップＳＰ５からステップＳＰ６に移り、パワーセーブモードを解除して通常の動作モードに立ち上げた後、ステップＳＰ７に移るのに対し、パワーセーブモードに設定されていない場合、直接、ステップＳＰ５からステップＳＰ７に移る。
【００５３】
このステップＳＰ７において、システムブロック１６は、外部機器が接続されているか否か判断する。ここで肯定結果が得られると、システムブロック１６は、ステップＳＰ８に移り、イジェクトスイッチ３１の操作を通知する信号線の信号レベルをＬレベルに立ち下げ、これによりドライブブロック１７にイジェクトスイッチ３１の操作を通知した後、ステップＳＰ４に移ってこの処理手順を終了する。
【００５４】
これにより図６に示すように、この実施の形態においては、インターフェース２４に外部機器が接続されている場合には、イジェクトスイッチ３１の操作をシステムブロック１６で検出し、このイジェクトスイッチ３１の操作を信号線によりドライブブロック１７に通知するようになされている。
【００５５】
これにより図７に示すように、例えばコンピュータに接続されいる場合に、このコンピュータで実行中のアプリケーションプログラムによりＧＥＴ　ＥＶＥＮＴ／ＳＴＡＴＵＳＮＯＩＦＩＣＡＴＩＯＮコマンドＣＤ１の出力に対して、ドライブブロック１７においては、システムブロック１６からの通知により、イジェクトスイッチ３１の操作を戻り値により通知するようになされている。これによりコンピュータのアプリケーションプログラムにおいては、この戻り値によりイジェクトスイッチ３１の操作を検出した後、光ディスク３を排出可能な場合に、ＳＴＡＲＴ／ＳＴＯＰ　ＵＮＩＴコマンドを出力してロック爪を解除し、これにより光ディスク３を取り出し可能に設定するようになされている。
【００５６】
これに対してステップＳＰ７で否定結果が得られると、システムブロック１６は、ステップＳＰ７からステップＳＰ９に移る。ここでシステムブロック１６は、イジェクトスイッチ３１の操作を通知する信号線の信号レベルをＨレベルの状態に維持したまま、続くステップＳＰ１０において、光ディスク３へのデータの記録を完了しているか否か、また対応する管理情報（ＴＯＣ（Ｔａｂｌｅ　Ｏｆ　Ｃｏｎｔｅｎｔｓ））の記録を完了しているか否か判断することにより、光ディスク３を排出可能か否か判断する。ここで否定結果が得られると、システムブロック１６は、ステップＳＰ１０を繰り返し、これらのデータの記録を完了して光ディスク３を排出可能となると、ステップＳＰ１１に移り、ドライブブロック１７にＳＴＡＲＴ／ＳＴＯＰＵＮＩＴコマンドを出力し、ステップＳＰ４に移ってこの処理手順を終了する。
【００５７】
これにより図８に示すように、このカメラ一体型ビデオレコーダ１１においては、単独で使用されている場合には、イジェクトスイッチ３１の操作により、システムブロック１６がデータの記録完了を待ってドライブブロック１７にロック爪の解除を指示し、光ディスク３を取り出すことができるようにドライブブロック１７の動作を制御するようになされている。なおこの場合、図７との対比によりイジェクトスイッチ３１が操作されてからのタイムチャートを示すと、図９のように表される。
【００５８】
これらによりこの実施の形態において、ドライブブロック１７は、入力されたコマンドに応じて、光ディスク３を駆動して所望のデータを記録再生し、また光ディスク３を取り出し可能とする光ディスク駆動手段を構成するのに対し、システムブロック１６は、ビデオエンコーダ１３、オーディオエンコーダ１５等と共に、光ディスク３で記録再生するデータを光ディスク駆動手段との間で入出力し、このデータを処理するデータ処理手段を構成するようになされている。またインターフェース２４は、光ディスク３で記録再生するデータを光ディスク駆動手段との間で入出力し、コンピュータと接続可能なデータ入出力手段を構成するようになされている。
【００５９】
（２）実施の形態の動作
以上の構成において、このカメラ一体型ビデオレコーダ１１では（図２及び図３）、このカメラ一体型ビデオレコーダを単独で使用する場合、カメラ部１２及びマイク部１４により撮像結果であるビデオデータ、被写体からのオーディオデータが取得され、これらビデオデータ及びオーディオデータがシステムブロック１６を介して表示部１９、音声処理部２０に供給され、これにより撮像結果、被写体の音声をモニタできるようにする。
【００６０】
また光ディスク３に撮像結果を記録する場合、システムブロック１６からのコマンドがＡＴＡＰＩインターフェースによりドライブブロック１７に伝送され、これにより光ディスクドライブ側が動作モードを切り換える。続いてカメラ一体型ビデオレコーダ１１では、カメラ部１２及びマイク部１４より出力されるビデオデータ及びオーディオデータがそれぞれビデオエンコーダ１３、オーディオエンコーダ１５でデータ圧縮された後、システムブロック１６で時分割多重化処理されてストリーミングデータが生成され、このストリーミングデータがＡＴＡＰＩインターフェースによりドライブブロック１７に伝送される。ドライブブロック１７においては、このようにして伝送されるデータが光ディスク３に記録される（図３）。
【００６１】
また再生時においては（図４）、同様のシステムブロック１６からのコマンドによりドライブブロック１７が動作を切り換え、光ディスク３より対応するデータが再生される。このデータにおいては、システムブロック１６に入力され、ここでビデオデータ及びオーディオデータに分離された後、それぞれビデオデコーダ２１及びオーディオデコーダ２２によりデータ伸長され、表示部１９及び音声処理部２０に出力される。
【００６２】
このようにしてカメラ一体型ビデオレコーダ単独で使用している場合にあって、ユーザーが単に被写体をモニタしている場合、カメラ一体型ビデオレコーダ１１では、システムブロック１６において、ユーザーによる各種操作子の操作が検出され、これら操作子の操作に応動してシステムブロック１６側の動作が切り換えられ、またシステムブロック１６からドライブブロック１７に対応するコマンドが出力されてドライブブロック１７側の動作が切り換えられる。これによりカメラ一体型ビデオレコーダ１１では、例えばトリガスイッチの操作により、所望する被写体について、ビデオデータ及びオーディオデータの光ディスク３への記録を開始し、またこのような記録を停止できるようになされている。
【００６３】
カメラ一体型ビデオレコーダ１１では、このような操作子の操作がイジェクトスイッチ３１の操作の場合、光ディスク３に記録するデータのデータ処理手段側であるシステムブロック１６によりイジェクトスイッチ３１の操作が検出される。さらにこの検出結果より、例えばバッファメモリ等に蓄積されているビデオデータ、オーディオデータの光ディスク３への記録が完了し、またこの記録に対応する管理情報であるＴＯＣの記録が完了すると、システムブロック１６からドライブブロック１７に光ディスク３の排出を指示するＳＴＡＲＴ／ＳＴＯＰ　ＵＮＩＴコマンドが出力され、このコマンドによりドライブブロック１７でディスク蓋２６をロックするロック爪が解除される。これによりカメラ一体型ビデオレコーダ１１では、単体で使用している場合に、光ディスクドライブとは異なる部位であるデータ処理手段側に設けたイジェクトスイッチ３１の操作により、光ディスク３を取り出すことができるようになされている。
【００６４】
これに対してこのような単体における操作において、ユーザーの操作により単に撮像結果をモニタする動作モードに設定されると、カメラ一体型ビデオレコーダ１１では、システムブロック１６からのコマンドによりドライブブロック１７がパワーセーブモードに動作を切り換え、これにより光ディスク３の回転駆動、光ディスク３にレーザービームを照射する記録再生系等の動作が停止制御され、さらにはこれらの回路ブロックへの電源の供給が停止制御される。これによりこのカメラ一体型ビデオレコーダ１１では、全体の消費電力を少なくして、ユーザーが携帯してバッテリにより使用している場合に、バッテリを長持ちさせることができるようになされている。
【００６５】
これに対して撮像結果を光ディスク３に記録する動作モードにおいて、トリガスイッチが操作されないことにより、一定時間以上、ユーザーによる録画の開示が指示されない場合、同様に、システムブロック１６の制御によりドライブブロック１７がパワーセーブモードに切り換えられる。またシステムブロック１６側においても、パワーセーブモードに動作モードを切り換え、これによりカメラ部１２から表示部１９までのビデオ系、マイク部１４から音声処理部２０までの音声系が動作を停止し、一段と消費電力が少なくなるように設定される。これによりカメラ一体型ビデオレコーダ１１では、さらに一段とバッテリが長持ちするようになされている。
【００６６】
これに対して光ディスク３に記録した撮像結果を再生してモニタする動作モードにおいて、同様に、一定時間以上、再生、早送り等の指示がユーザーにより得られない場合、カメラ一体型ビデオレコーダ１１では、同様のシステムブロック１６の制御によりドライブブロック１７がパワーセーブモードに動作モードを切り換え、またシステムブロック１６側においても、パワーセーブモードに動作モードを切り換える。これによりこの場合も、バッテリの電力消費を少なくするようになされている。
【００６７】
このようしてパワーセーブモードに動作モードを設定して、ユーザーによる操作子の操作が検出されると、システムブロック１６がパワーセーブモードに設定されている場合には、システムブロック１６が通常の動作モードに立ち上がる。またこのような操作が、録画、再生等の光ディスク３の記録再生を指示する操作の場合、システムブロック１６の制御によりドライブブロック１７がパワーセーブモードから通常の動作モードに動作を立ち上げる。さらにこのパワーセーブモードからの立ち上げのきっかけとなったユーザーによる操作に対応して、システムブロック１６により各部が制御される。これによりカメラ一体型ビデオレコーダ１１では、必要に応じて全体の動作モードを立ち上げて所望の操作を実行できるようになされている。
【００６８】
カメラ一体型ビデオレコーダ１１では、このようにして検出される操作がイジェクトスイッチ３１の操作の場合、他の操作子が操作された場合と同様に、始めに、システムブロック１６、ドライブブロック１７がパワーセーブモードから通常の動作モードに立ち上げられる。またそれまで光ディスク３に記録したビデオデータ及びオーディオデータに係る管理用情報を光ディスク３に記録していない場合には、これらの情報を光ディスク３に記録した後、システムブロック１６からのＳＴＡＲＴ／ＳＴＯＰ　ＵＮＩＴコマンドによりドライブブロック１７でロック爪が解除される。
【００６９】
これによりカメラ一体型ビデオレコーダ１１では、動作モードをパワーセーブモードに切り換えている場合でも、光ディスク３を取り出すことができるようになされ、その分、電力消費を少なくして、確実に光ディスク３を取り出すことができるようになされている。
【００７０】
またこのようにして光ディスク３を取り出し可能とする一連の処理においては、システムブロック１６側でイジェクトスイッチ３１の操作を検出し、光ディスク３の排出を指示するＳＴＡＲＴ／ＳＴＯＰ　ＵＮＩＴコマンドをドライブブロック１７に出力する処理であることにより、時間遅れを少なくすることができる。すなわち図１３を用いた例であっては、ＧＥＴ　ＥＶＥＮＴ／ＳＴＡＴＵＳ　ＮＯＩＦＩＣＡＴＩＯＮコマンドにより光ディスクドライブ側に状態を問い合わせて得られる戻り値によりイジェクトスイッチ３１の操作を検出し、その後、光ディスクドライブ側にＳＴＡＲＴ／ＳＴＯＰ　ＵＮＩＴコマンドを出力して光ディスク３を取り出し可能とするのに対し、この実施の形態においては、このような状態の問い合わせ処理を省略することができ、その分、応答時間を短くすることができる。
【００７１】
これに対してカメラ一体型ビデオレコーダ１１では、コンピュータ等の外部機器に接続されると、インターフェース２４を介してドライブブロック１７でこの外部機器の接続が検出され、この外部機器の接続がドライブブロック１７からシステムブロック１６に通知される。
【００７２】
このようにして外部機器の接続が検出されると、システムブロック１６においては、イジェクトスイッチ３１の操作を除いて、カメラ一体型ビデオレコーダ１１に設けられた操作子の操作を受け付けないように動作モードを切り換え、また表示部１９に外部機器の接続を表示する。
【００７３】
カメラ一体型ビデオレコーダ１１では、このように外部機器に接続されると、インターフェース２４を介してドライブブロック１７に外部機器よりコマンドが入力され、このコマンドによりドライブブロック１７が動作を切り換えることにより、インターフェース２４を介して入力される外部機器からのデータが光ディスク３に記録され、また光ディスク３に記録されたデータが再生されて外部機器に出力される。
【００７４】
このような状態でユーザーによりイジェクトスイッチ３１が操作されると、カメラ一体型ビデオレコーダ１１では、光ディスクドライブ側にイジェクトスイッチ６を配置して、このイジェクトスイッチ６が操作された場合と同様に（図１２）、システムブロック１６によりドライブブロック１７に接続された信号線の信号レベルが切り換えられ、これによりこのイジェクトスイッチ３１の操作がドライブブロック１７に通知される。
【００７５】
カメラ一体型ビデオレコーダ１１では、外部機器からのＧＥＴ　ＥＶＥＮＴ／ＳＴＡＴＵＳ　ＮＯＩＦＩＣＡＴＩＯＮコマンドにより、このイジェクトスイッチ３１の操作の通知がさらに外部機器に通知され、これによりシステムブロック１６で検出したイジェクトスイッチ３１の操作が、ドライブブロック１７、インターフェース２４を順次介して、外部機器に通知される。
【００７６】
これにより外部機器においては、従来の光ディスクドライブを制御している場合と同様に、実行中のアプリケーションプログラムにおいて、必要に応じてＧＥＴ　ＥＶＥＮＴ／ＳＴＡＴＵＳ　ＮＯＩＦＩＣＡＴＩＯＮコマンドを発行してカメラ一体型ビデオレコーダ１１側の状態を監視し、この監視結果より光ディスク３へのデータの記録を完了してＳＴＡＲＴ／ＳＴＯＰ　ＵＮＩＴコマンドにより光ディスク３の排出を指示することができ、これにより従来のアプリケーションプログラムにより光ディスク３に所望のデータを記録し、また光ディスク３に記録したデータを再生することができる。またこのようにしてカメラ一体型ビデオレコーダ１１の動作を制御して、カメラ一体型ビデオレコーダ１１側のイジェクトスイッチ３１の操作により光ディスク３を取り出し可能とすることができる。
【００７７】
（３）実施の形態の効果
以上の構成によれば、光ディスクの排出を指示する操作子の操作を、光ディスク駆動手段であるドライブブロック１７を介してコンピュータ等の外部機器に通知することにより、光ディスクドライブの構成を利用して記録再生系を構成する場合に、光ディスクの排出に関連する電力消費、時間遅れを有効に回避することができる。
【００７８】
またこの光ディスク駆動手段におけるコマンド、データの入出力が、コンピュータに関連する機器における標準のインターフェースであるＡＴＡＰＩであることにより、汎用の部品を使用してカメラ一体型ビデオレコーダを構成することができる。
【００７９】
またこのようにして通知される光ディスクの排出の指示を、状態問い合わせのコマンドに対する応答であり、戻り値により外部機器に通知することにより、外部機器においては、従来の光ディスクドライブを制御するアプリケーションプログラムをそのまま使用してカメラ一体型ビデオレコーダ１１の動作を制御することができる。
【００８０】
またデータ処理手段であるシステムブロックにおいて、所定の時点で、一部動作を停止して電力消費を低減するパワーセーブモードに動作を切り換え、イジェクトスイッチの操作により、パワーセーブモードから動作を立ち上げることにより、全体の電力消費を少なくすることができる。
【００８１】
また光ディスク駆動手段であるドライブブロックにおいて、所定の時点で、一部動作を停止して電力消費を低減するパワーセーブモードに動作を切り換え、システムブロックからの指示により、パワーセーブモードから動作を立ち上げることによっても、全体の電力消費を少なくすることができる。
【００８２】
（４）他の実施の形態
なお上述の実施の形態においては、データ圧縮してなるビデオデータとオーディオデータとの時分割多重データによるストリーミングデータを記録する場合について述べたが、本発明はこれに限らず、例えば何らデータ圧縮しないでビデオデータを記録する場合、オーディオデータを記録する場合等に広く適用することができる。
【００８３】
また上述の実施の形態においては、撮像結果及び被写体より得られる音声を記録する場合について述べたが、本発明はこれに限らず、例えばライン入力によるビデオデータ等を記録する場合にも広く適用することができる。
【００８４】
また上述の実施の形態においては、ＡＴＡＰＩ、ＩＥＥＥ１３９４等のインターフェースを使用する場合について述べたが、本発明はこれに限らず、必要に応じて種々のインターフェースを使用する場合に広く適用することができる。
【００８５】
また上述の実施の形態においては、本発明によるデータ記録装置をカメラ一体型ビデオレコーダに適用した場合について述べたが、本発明はこれに限らず、電子スチルカメラに適用する場合、オーディオのレコーダに適用する場合等、種々の記録装置に広く適用することができる。
【００８６】
また上述の実施の形態においては、本発明による光ディスク装置をコンピュータに接続する場合について述べたが、本発明はこれに限らず、種々のホスト装置等に接続する場合に広く適用することができる。
【００８７】
【発明の効果】
上述のように本発明によれば、排出を指示する操作子の操作を光ディスク駆動手段を介してコンピュータ等の外部機器に通知することにより、光ディスクドライブの構成を利用して記録再生系を構成する場合に、光ディスクの排出に関連する電力消費、時間遅れを有効に回避することができる。
【図面の簡単な説明】
【図１】本発明の実施の形態に係るシステムブロックの処理手順を示すフローチャートである。
【図２】本発明の実施の形態に係るカメラ一体型ビデオレコーダを示すブロック図である。
【図３】図２のカメラ一体型ビデオレコーダにおける記録時のデータの流れを示すブロック図である。
【図４】図２のカメラ一体型ビデオレコーダにおける再生時のデータの流れを示すブロック図である。
【図５】図２のカメラ一体型ビデオレコーダとコンピュータとの間におけるデータの入出力の説明に供するブロック図である。
【図６】図２のカメラ一体型ビデオレコーダにおけるイジェクトスイッチの操作による動作の説明に供するブロック図である。
【図７】図６に対応するコマンドの送受を示すタイムチャートである。
【図８】図６との対比により単独で使用した場合のイジェクトスイッチの操作による動作の説明に供するブロック図である。
【図９】図８に対応するコマンドの送受を示すタイムチャートである。
【図１０】光ディスクドライブを示すブロック図である。
【図１１】図１０の光ディスクドライブにおける光ディスク排出時におけるコマンドの送受を示すタイムチャートである。
【図１２】図１０の光ディスクドライブを用いたカメラ一体型ビデオレコーダを示すブロック図である。
【図１３】図１２の構成における光ディスク排出時におけるコマンドの送受を示すタイムチャートである。
【符号の説明】
１……光ディスクドライブ、２、１７……ドライブブロック、３……光ディスク、４、２４……インターフェース、６、３１……イジェクトスイッチ、８、１１……カメラ一体型ビデオレコーダ、９Ａ、１６……システムブロック
【図１】
2004013243.tif 000003
【図２】
2004013243.tif 000004
【図３】
2004013243.tif 000005
【図４】
2004013243.tif 000006
【図５】
2004013243.tif 000007
【図６】
2004013243.tif 000008
【図７】
2004013243.tif 000009
【図８】
2004013243.tif 000010
【図９】
2004013243.tif 000011
【図１０】
2004013243.tif 000012
【図１１】
2004013243.tif 000013
【図１２】
2004013243.tif 000014
【図１３】
2004013243.tif 000015